(57)【特許請求の範囲】
【請求項１】
記録媒体にビーム光を照射することにより前記記録媒体に対して情報記録及び再生を行う光学式情報記録再生装置であって、
単一のレーザビーム光を発生するレーザ発生素子と、
前記レーザビーム光を主ビーム光と副ビーム光とに分割してこれらを夫々前記記録媒体の記録面上において互いに隣接して形成されている記録トラックの各々に同時に照射する液晶パネルと、
再生動作から記録動作の切り替えに応じて、前記主ビーム光及び前記副ビーム光の内の前記副ビーム光の光量を低下させるべく前記液晶パネルを駆動しつつ前記副ビーム光の光量が所定値まで低下したか否かを判定し、当該所定値まで低下したと判定したときに前記レーザ発生素子が発生する前記レーザビーム光の光パワーを情報記録に必要となる光パワー値に切り換える制御手段と、を有することを特徴とする光学式情報記録再生装置。
【請求項２】
前記液晶パネルにおける液晶層上には櫛形の透明電極が形成されており、
前記制御手段は、再生動作時には前記透明電極に所定の第１電位を印加する一方、記録動作時には前記第１電位よりも低電位である第２電位を前記透明電極に印加する液晶駆動手段を含むことを特徴とする請求項１記載の光学式情報記録再生装置。
【請求項３】
外気温度を測定する温度センサと、各温度毎の液晶応答時間を示す情報が前記温度各々に対応づけして予め記憶されているメモリと、を更に備え、
前記制御手段は、前記再生動作から記録動作の切り替えに応じて、前記副ビーム光の光量のみを低下させるべく前記液晶パネルを駆動すると共に前記メモリから前記外気温度に対応した前記液晶応答時間を示す情報を読み出し、当該液晶応答時間の経過後に前記レーザ発生素子が発生する前記レーザビーム光の光パワーを情報記録に必要となる光パワー値に切り換えることを特徴とする請求項１記載の光学式情報記録再生装置。
【発明の詳細な説明】
【０００１】
【発明の属する技術分野】
本発明は、光学式記録媒体に対して情報データの記録及び再生が可能な光学式情報記録再生装置に関する。
【０００２】
【従来の技術】
高密度記録してある光学式記録媒体から高精度に記録情報の読み取りを行うには、読み取り対象となるトラックの両サイドに隣接しているトラックからのクロストークの影響を排除する必要がある。
かかるクロストーク除去の方法としては、先ず、グレーティング素子等を用いて１つのレーザビーム光を３分割して３つのレーザビーム光を発生し、これらを読み取り対象となるトラック及びその両側に隣接するトラックに夫々照射する。これにより、３つのトラックから同時に記録情報の読み取りを行う。次に、上記隣接トラックの各々から読み取られた読取信号に基づいて、読み取り対象となるトラックから読み取られた読取信号中に重畳してしまったクロストーク成分を求める。そして、このクロストーク成分を、上記読み取り対象となるトラックから読み取られた読取信号から減算することにより、クロストーク除去を為すのである。
【０００３】
ところが、情報データの記録を行う際に、記録対象となるトラックの他にその隣接トラックにもレーザビーム光が照射されてしまうと、隣接トラックに記録済みのデータが消去されてしまうという問題が生じる。
【０００４】
【発明が解決しようとする課題】
本発明は、かかる問題を解決すべくなされたものであり、記録動作時においては記録済みデータの誤消去を防止しつつ、その再生動作時においてはクロストーク除去を実施した高精度な情報読取を行うことが可能な光学式情報記録再生装置を提供することを目的とする。
【０００５】
【課題を解決するための手段】
請求項１記載による光学式情報記録再生装置は、記録媒体にビーム光を照射することにより前記記録媒体に対して情報記録及び再生を行う光学式情報記録再生装置であって、単一のレーザビーム光を発生するレーザ発生素子と、前記レーザビーム光を主ビーム光と副ビーム光とに分割してこれらを夫々前記記録媒体の記録面上において互いに隣接して形成されている記録トラックの各々に同時に照射する液晶パネルと、再生動作から記録動作の切り替えに応じて、前記主ビーム光及び前記副ビーム光の内の前記副ビーム光の光量を低下させるべく前記液晶パネルを駆動しつつ前記副ビーム光の光量が所定値まで低下したか否かを判定し、当該所定値まで低下したと判定したときに前記レーザ発生素子が発生する前記レーザビーム光の光パワーを情報記録に必要となる光パワー値に切り換える制御手段とを有する。
【０００６】
【発明の実施の形態】
以下、本発明の実施例について説明する。
図１は、本発明による光学式情報記録再生装置の構成を示す図である。
図１において、記録変調回路１は、後述する制御回路２０から供給された情報データＤに対して所望の記録変調方式に従った変調処理を施し、この際得られた記録信号をレーザドライバ２に供給する。レーザドライバ２は、かかる記録信号に対応した信号レベルを有するレーザ駆動信号を発生してこれを記録再生ヘッド１０に搭載されているレーザ発生素子１０１に供給する。尚、このレーザ駆動信号の最大値は、後述する減算器３から供給される光パワー誤差値に応じて調整される。
【０００７】
レーザ発生素子１０１は、レーザドライバ２から供給されたレーザ駆動信号に対応した光パワーを有するレーザビーム光を発生して、これを液晶パネル１０２に照射する。光パワー検出器１０３は、かかるレーザビーム光の光パワーを検出し、その検出した光パワーのレベルを示す光パワー値ＬＰを減算器３に供給する。減算器３は、セレクタ４から供給された目標光パワー値ＬＰPと、上記光パワー値ＬＰとの差分値を上記光パワー誤差値として上記レーザドライバ２に供給する。上記セレクタ４は、読取光パワー値ＬＰR及び記録光パワー値ＬＰWの内から、制御回路２０から供給された光パワー選択信号ＰSELに応じた方を択一的に選択し、これを上記目標光パワー値ＬＰPとして上記減算器３に供給する。尚、上記読取光パワー値ＬＰRは、情報読取時において記録ディスク上に照射すべきレーザビーム光の最適な光パワーであり、記録光パワー値ＬＰWは情報記録又は消去時に必要となるレーザビーム光の光パワーである。
【０００８】
従って、上述した如き構成によれば、レーザ発生素子１０１は、情報読取動作時には、上記読取光パワー値ＬＰRにて示される光パワーを有するレーザビーム光を発生し、これを液晶パネル１０２に照射する。一方、情報記録又は消去動作時には、上記記録光パワー値ＬＰWにて示される光パワーを有するレーザビーム光を発生し、これを液晶パネル１０２に照射することになる。
【０００９】
図２は、レーザビーム光の光軸方向から眺めた液晶パネル１０２の構造を示す図である。
図２に示されるように、液晶パネル１０２は、櫛形の透明電極Ａと、複屈折特性を有する液晶分子が充填された液晶層Ｃとからなる。
液晶ドライバ５は、制御回路２０から３ビーム生成要求信号が供給された場合には、所定の液晶駆動電位を液晶パネル１０２の透明電極Ａに印加する。これにより、液晶層Ｃ内に充填されている液晶分子の内、透明電極Ａに覆われている領域に存在する液晶分子のツイスト角が推移する。この際、図２に示されるが如き液晶パネル１０２の透明電極Ａの凸凹部が回折格子となり、液晶パネル１０２は、いわゆるグレーティング素子として機能する。従って、図２に示されるが如く、レーザビーム光によるビームスポットＳＰが液晶パネル１０２に照射されると、上記回折格子によって０次回折光に加え１次回折光が発生する。この際、かかる０次回折光がメインビーム光、１次回折光が２つのサイドビーム光となって夫々ハーフミラー１０４に導出される。
【００１０】
又、液晶ドライバ５は、制御回路２０から１ビーム生成要求信号が供給された場合には、例えば０ボルトを透明電極Ａに印加する。これにより、液晶パネル１０２は単なるガラス板となり、レーザ発生素子１０１からのレーザビーム光はそのまま液晶パネル１０２を透過し、これが上記メインビーム光としてハーフミラー１０４に導出される。
【００１１】
すなわち、液晶パネル１０２は、透明電極Ａに所定の液晶駆動電位が印加された場合にはグレーティング素子となって、レーザ発生素子１０１からのレーザビーム光をメインビーム光とサイドビーム光とに分割して夫々ハーフミラー１０４に供給する。一方、透明電極Ａに、上記所定の液晶駆動電位よりも低電位である例えば０ボルトの電位が印加された場合には、上記レーザ発生素子１０１から供給されたレーザビーム光をそのままメインビーム光としてハーフミラー１０４に供給するのである。
【００１２】
ハーフミラー１０４は、液晶パネル１０２で生成されたメインビーム光及びサイドビーム光を対物レンズ１０５に導出する。対物レンズ１０５は、これらビーム光各々を集光して、記録可能な光学式記録媒体としてのＤＶＤ(Digital Versatile Disc)−Ｒ、ＤＶＤ−ＲＷ、ＤＶＤ＋ＲＷ、ＤＶＤ−ＲＡＭの如き記録ディスク６の記録面に照射する。具体的には、記録ディスク６の記録面上において互いに隣接して形成されている３つの記録トラックの内の中央の記録トラックに上記メインビーム光を照射し、両サイドに隣接する記録トラック各々に上記サイドビーム光を夫々照射する。この際、これら３つの記録トラック各々から反射された３つの反射光各々は、上記対物レンズ１０５、ハーフミラー１０４、集光レンズ１０６を介して光検出器１０７ａ〜１０７ｃ各々の光検出面に夫々導出される。光検出器１０７ａ〜１０７ｃ各々は、集光レンズ１０６にて集光された上記３つの反射光各々をその光量に対応したレベルを有する読取信号ａ〜ｃに変換して出力する。この際、上述した如き３つの記録トラックの内の中央の記録トラックから読み取られたものが読取信号ｂ、その両側に隣接する記録トラック各々から読み取られたものが読取信号ａ及びｃとして夫々出力される。
【００１３】
スライダ機構７は、上記レーザ発生素子１０１、液晶パネル１０２、光パワー検出器１０３、ハーフミラー１０４、対物レンズ１０５、集光レンズ１０６、及び光検出器１０７の搭載されている記録再生ヘッド１０を記録ディスク６のディスク半径方向に移送せしめる。
クロストーク除去回路８は、上記読取信号ａ及びｃに基づき、中央の記録トラックから読み取られた読取信号ｂに重畳しているクロストーク成分を求め、これを読取信号ｂから減算することによりクロストーク除去された読取信号Ｒを得る。
【００１４】
サイドビーム光パワー判定回路９は、上記読取信号ａ又は読取信号ｃの信号レベルに基づき、液晶パネル１０２にて生成された上記サイドビーム光の光パワーが所定値よりも低下したか否かの判定を行う。そして、サイドビーム光の光パワーが所定値まで低下したと判定した場合には論理レベル"１"、所定値よりも高いと判定した場合には論理レベル"０"のサイドビーム光パワー判定信号ＳCを発生して制御回路２０に供給する。尚、サイドビーム光パワー判定回路９は、メインビーム光に基づく読取信号ｂの信号レベルに基づいて、上述した如き判定を行うようにしても良い。
【００１５】
操作装置２１は、使用者による再生開始操作及び記録開始操作を受け付け、その操作に対応した再生開始命令信号及び記録開始命令信号を発生して制御回路２０に供給する。
制御回路２０は、上記操作装置２１から再生開始命令信号が供給された場合には記録ディスク６から記録情報の再生を開始べき再生開始制御を行う。一方、かかる操作装置２１から記録開始命令信号が供給された場合には、制御回路２０は、記録ディスク６への記録を開始すべき記録開始制御を行う。
【００１６】
図３は、操作装置２１から再生開始命令信号が供給された場合に制御回路２０によって実行される再生開始制御の概略フローを示す図である。
図３において、先ず、制御回路２０は、記録再生ヘッド１０を記録ディスク６上における所望の再生開始位置に移送させるべきスライダ移送信号をスライダ機構７に供給する(ステップＳ１)。次に、制御回路２０は、記録ディスク６の記録面に照射すべきレーザビーム光の光パワーとして、上記読取光パワー値ＬＰRを選択すべき光パワー選択信号ＰSELをセレクタ４に供給する(ステップＳ２)。かかるステップＳ２の実行により、レーザ発生素子１０１は、情報読取時に最適な上記読取光パワー値ＬＰRによって示される光パワーを有するレーザビーム光を発生し、これを液晶パネル１０２に照射する。次に、制御回路２０は、３ビーム生成要求信号を液晶ドライバ５に供給する(ステップＳ３)。かかるステップＳ３の実行により、液晶ドライバ５は、所定の液晶駆動電位を液晶パネル１０２の透明電極Ａに印加する。これにより、液晶パネル１０２は、メインビーム光及び２つのサイドビーム光からなる３つのビーム光を生成する。この際、２つのサイドビーム光各々は、前述した如きクロストーク除去回路８によってクロストーク処理が可能な程度の光量であれば良い。上記３つのビーム光はハーフミラー１０４及び対物レンズ１０５を介して、記録ディスク６の記録面上において互いに隣接して形成されている３つの記録トラック各々に照射される。そして、これら３つの記録トラック各々から反射された３つの反射光各々に対応した読取信号ａ〜ｃが得られる。最終的にクロストーク除去回路８によってクロストークの除去された読取信号Ｒが出力される。
【００１７】
このように、再生動作時には、記録ディスク６の記録面上において互いに隣接する３つの記録トラックから同時に記録情報の読み取りを行うことにより、隣接トラックからのクロストークの影響を排除した高精度な情報読み取りが為される。
一方、図４は、操作装置２１から記録開始命令信号が供給された場合に制御回路２０によって実行される記録開始制御の概略フローを示す図である。
【００１８】
図４において、先ず、制御回路２０は、記録再生ヘッド１０を記録ディスク６上における所望の記録開始位置に移送させるべきスライダ移送信号をスライダ機構７に供給する(ステップＳ１１)。次に、制御回路２０は、１ビーム生成要求信号を液晶ドライバ５に供給する(ステップＳ１２)。かかるステップＳ１２の実行により、液晶ドライバ５は、０ボルトの電位を液晶パネル１０２の透明電極Ａに印加する。これにより、液晶パネル１０２は、前述した如き３ビームの内のサイドビーム光の光量をメインビーム光の光量に比して低下させる。つまり、ステップＳ１２の実行により、液晶パネル１０２は、実質的にサイドビーム光を消灯して、メインビーム光のみの１ビーム生成状態へと移行するのである。
【００１９】
次に、制御回路２０は、サイドビーム光パワー判定回路９から供給されたサイドビーム光パワー判定信号ＳCが論理レベル"１"であるか否かの判定を、このサイドビーム光パワー判定信号ＳCが論理レベル"１"であると判定されるまで継続して行う(ステップＳ１３)。つまり、液晶パネル１０２の透明電極Ａに０ボルトの電位を印加してから、サイドビーム光の光パワーが所定値まで低下するまで待つのである。
【００２０】
上記ステップＳ１３において、サイドビーム光パワー判定信号ＳCが論理レベル"１"であると判定されたら、制御回路２０は、記録ディスク６の記録面に照射すべきレーザビーム光の光パワーの切り換え制御を行う。すなわち、制御回路２０は、上記記録光パワー値ＬＰWを選択すべき光パワー選択信号ＰSELをセレクタ４に供給するのである(ステップＳ１４)。かかるステップＳ１４の実行により、レーザ発生素子１０１は、情報記録時に必要となる上記記録光パワー値ＬＰWにて示される光パワーを有するレーザビーム光を発生し、これを液晶パネル１０２に照射する。次に、制御回路２０は、入力された情報信号に対応した情報データＤを上記記録変調回路１に対して供給開始する(ステップＳ１５)。上記ステップＳ１４及びＳ１５の実行により、記録光パワー値ＬＰWにて示される光パワーを有するレーザビーム光のみがメインビーム光として記録ディスク６の１記録トラック上に照射され、上記情報データＤに対応した記録信号が記録されて行く。この際、上記ステップＳ１２により、２つのサイドビーム光は実質的に消灯しているので、これら２つのサイドビーム光が記録面に照射されることによる記録済みデータの誤消去が回避される。
【００２１】
以上の如く、図１に示される光学式情報記録再生装置においては、レーザ発生素子１０１にて発生した単一のレーザビーム光を液晶パネル１０２を介して記録ディスク６の記録面に導出するようにしている。この際、液晶パネル１０２は、レーザ発生素子１０１にて発生した単一のレーザビーム光をメインビーム光及び２つのサイドビーム光からなる３つのレーザビーム光に分割して夫々記録ディスク６に供給する。
【００２２】
よって、光学式情報記録再生装置の再生動作時には、上記３つのレーザビーム光により、記録ディスク６の記録面上に形成されている互いに隣接した３つの記録トラックから同時に読み取られた読取信号を用いたクロストーク除去が実施される。
一方、光学式情報記録再生装置における再生動作から記録動作への移行時には、上記２つのサイドビーム光各々の光量を低下せしめてから、レーザビーム光の光パワーを読取光パワー値ＬＰRから記録光パワー値ＬＰWに切り換えて記録ディスク６への記録を開始させるようにしている。かかる動作により、上記サイドビーム光がデータ記録済みの記録トラックに照射されることによる誤消去を防止しているのである。ここで、液晶パネル１０２は、その応答速度が遅い為に１ビーム生成要求信号が発令されてから、サイドビーム光が実質的に消灯状態に至るまでには、図５に示される時間Ｔ１を費やす。従って、サイドビーム光が消灯するのを待ってからレーザビーム光の光パワーを切り換えていたのでは、記録ディスク６への記録が開始されるまでに時間が掛かり過ぎる。
【００２３】
そこで、本発明においては、サイドビーム光が完全に消灯せずとも、その光パワーが図５に示されるが如き光パワー値ＰＰよりも低下したら、レーザ発生素子１０１で発生すべきレーザビーム光の光パワーを記録光パワー値ＬＰWに切り換えるようにしている。この際、サイドビーム光の光パワーが光パワー値ＰＰよりも低下したということは、例えこの時点で記録光パワー値ＬＰWを有するレーザビーム光が照射開始されても、そのサイドビーム光では記録済みデータを消去出来ない程度にまで、液晶パネル１０２によるサイドビーム光の生成効率が低下したことを示す。よって、かかる制御によれば、サイドビーム光が消灯するのを待つことなく、迅速に、再生動作から記録動作への移行を実施することが出来るようになるのである。
【００２４】
又、液晶パネル１０２の応答時間は外気温に依存して予測出来る為、外気温度に対応した予測応答時間だけ待ってから、レーザ発生素子１０１で発生すべきレーザビーム光の光パワーを切り換えるようにしても良い。
図６は、かかる点に鑑みて為された本発明の他の実施例による光学式情報記録再生装置の構成を示す図である。
【００２５】
尚、図６に示される光学式情報記録再生装置においては、図１に示されるものからサイドビーム光パワー判定回路９を省き、その代わりに、外気温度を測定する温度センサ４１、並びに液晶応答時間メモリ４２を設けている。液晶応答時間メモリ４２には、各温度毎に、液晶素子の予測応答時間が対応づけして記憶されている。制御回路２０は、図４に示されるステップＳ１２の実行後、温度センサ４１で測定された温度に対応した液晶応答時間を液晶応答時間メモリ４２から読み出し、この液晶応答時間だけ待ってから、次のステップＳ１４の実行に移行する。
【００２６】
又、上記実施例においては、記録動作時には、液晶パネル１０２の透明電極Ａに０ボルトの液晶駆動電位を印加することにより、実質的にサイドビーム光を消灯せしめている。しかしながら、サイドビーム光は必ずしも消灯させる必要はない。要するに、記録動作時には、少なくとも記録済みデータを消去出来ない程度に、サイドビーム光の光量を低下させるべく、液晶パネル１０２を駆動制御すれば良いのである。つまり、液晶パネル１０２の透明電極Ａに印加する電位は０ボルト以外の電位であっても構わないのである。
【００２７】
【発明の効果】
以上詳述した如く、本発明による光学式情報記録再生装置によれば、記録動作時においては記録済みデータの誤消去を防止しつつ、その再生動作時においてはクロストークを除去した高精度な情報再生を行うことが可能となる。
【図面の簡単な説明】
【図１】本発明による光学式情報記録再生装置の構成を示す図である。
【図２】液晶パネル１０２の構造を示す図である。
【図３】本発明による光学式情報記録再生装置における再生開始制御フローを示す図である。
【図４】本発明による光学式情報記録再生装置における記録開始制御フローを示す図である。
【図５】記録開始時の動作タイミングを示す図である。
【図６】本発明の他の実施例による光学式情報記録再生装置の構成を示す図である。
【主要部分の符号の説明】
４  セレクタ
６  記録ディスク
８  クロストーク除去回路
９  サイドビーム光パワー判定回路
20  制御回路
101   レーザ発生素子
102   液晶パネル
【図１】
0004185231.tif 000002
【図２】
0004185231.tif 000003
【図３】
0004185231.tif 000004
【図４】
0004185231.tif 000005
【図５】
0004185231.tif 000006
【図６】
0004185231.tif 000007